(57)【要約】【課題】スポーツ観戦でもイベントでも、様々な応援方法に使用可能で汎用性がある応援用具の提供。【解決手段】応援用具１は、両端が開口された筒状のメガホン部５と、メガホン部５内に収容可能な筒状のスティック部２と、で構成され、スティック部２は、先端が閉塞され基端が開口された筒状のソケット部３と、ソケット部３の基端と分離可能に連結される筒状の把持部４とを備え、ソケット部３は、透明素材で形成され、内部に収容された装飾素材を外部から視認可能である。【選択図】図１
0003224702.tif 000002
【実用新案登録請求の範囲】
【請求項１】
両端が開口された筒状のメガホン部と、
前記メガホン部内に収容可能な筒状のスティック部と、で構成され、
前記スティック部は、先端が閉塞され基端が開口された筒状のソケット部と、前記ソケット部の基端と分離可能に連結される筒状の把持部とを備え、
前記ソケット部は、透明素材で形成され、内部に収容された装飾素材を外部から視認可能であることを特徴とする応援用具。
【請求項２】
前記ソケット部の基端に着脱可能に取り付けられ、前記ソケット部内に収容された前記装飾素材を、前記ソケット部から離脱不能に封止する封止具を更に備えることを特徴とする請求項１に記載の応援用具。
【請求項３】
前記ソケット部の基端の外周面と、前記把持部の先端の内周面には、前記ソケット部と前記把持部とを螺合するネジ部が形成され、前記把持部の先端の外周には、前記把持部と一体形成された鍔部を有することを特徴とする請求項１又は２に記載の応援用具。
【請求項４】
前記ソケット部の基端であって前記ネジ部より先端側には、外方向に向かって突出する段差が形成されていることを特徴とする請求項３に記載の応援用具。
【請求項５】
前記装飾素材は、応援用のイラストが印刷されたシート、又は発光体であることを特徴とする請求項１〜４の何れか一項に記載の応援用具。
【考案の詳細な説明】
【技術分野】
【０００１】
本考案は、スポーツ観戦やコンサートなどのイベントで使用される応援用具に関する。
【背景技術】
【０００２】
従来よりスポーツ観戦では、２本のスティックを打ち鳴らす応援用具（特許文献１参照）や、大声を出して声援する応援用具（特許文献２参照）が用いられてきた。また、コンサートやライブなどのイベントでは、曲に合わせて発光体を振る応援用具（特許文献３参照）が用いられてきた。
【先行技術文献】
【特許文献】
【０００３】
【特許文献１】実用新案登録第３０５２２５９号公報
【特許文献２】実用新案登録第３１６０９４２公報
【特許文献３】特開平１０−２０８５０１号公報
【考案の概要】
【考案が解決しようとする課題】
【０００４】
しかしながらスポーツ観戦用応援用具は、通常、応援するチームや個人のイラストが印刷されているので、一種類の競技しか使用できず、他の競技を応援するときは別の応援用具を購入しなければならなかった。また、コンサート用応援用具は、発光するペンライト等が使用されているが、それをスポーツ観戦で使用するとき、贔屓のチーム名が印刷されておらず、応援する気分を盛り上げることができなかった。
【０００５】
そこで、本考案は、スポーツ観戦でもイベントでも、様々な応援方法に使用可能で、汎用性がある応援用具を提供することを目的とする。
【課題を解決するための手段】
【０００６】
上記課題を解決するため、本考案の応援用具は、両端が開口された筒状のメガホン部と、前記メガホン部内に収容可能な筒状のスティック部と、で構成され、前記スティック部は、先端が閉塞され基端が開口された筒状のソケット部と、前記ソケット部の基端と分離可能に連結される筒状の把持部とを備え、前記ソケット部は、透明素材で形成され、内部に収容された装飾素材を外部から視認可能であることを特徴とする。
【考案の効果】
【０００７】
本考案の応援用具によれば、ソケット部が透明素材で形成されているので、把持部をソケット部から分離して、競技やイベントに対応した装飾素材をソケット部内部に収容し、再び把持部をソケット部に連結することで、装飾素材を取り換えることのみで、様々な競技やイベントに汎用性をもって使用することができる。
【図面の簡単な説明】
【０００８】
【図１】本考案の実施形態に係る応援用具の分解斜視図である。
【図２】同応援用具のスティック部の斜視図である。
【図３】同応援用具の収納した状態を示す斜視図である。
【図４】装飾体として応援用のイラストが印刷されたシートをスティック部に収容する要領を示す図である。
【図５】図４の応援用具を用いた応援方法を示す図である。
【図６】装飾体として発光体をスティック部に収容する要領を示す図である。
【図７】図６の応援用具を用いた応援方法を示す図である。
【図８】同応援用具をメガホンとして使用している様子を示す図である。
【考案を実施するための形態】
【０００９】
図１〜図３は、本考案の応援用具１の構成を示す図であり、図１は分解図、図２はスティック部２を示す図、図３はスティック部２をメガホン部５内に収納した状態を示す図である。応援用具１は、両端が開口された筒状のメガホン部５と、メガホン部５内に収容可能な筒状のスティック部２と、で構成されている。そして、スティック部２は、先端が閉塞され基端が開口された筒状のソケット部３と、ソケット部３の基端と分離可能に連結される筒状の把持部４とを備えている。また、応援用具１は、ソケット部３の基端に着脱可能に取り付けられる封止具６を、更に備えている。
【００１０】
スティック部２のソケット部３は、透明素材で形成され、内部に収容された装飾素材を外部から視認可能である。そしてこのソケット部３は、円筒状に形成され、その基端には、外周面にネジ部３１と、ネジ部３１より先端側に、外方向に向かって突出するリング状の段差３２が形成されている。スティック部２の把持部４は、円筒状に形成され、その先端の内周面には、ネジ部３１と螺合するネジ部４１が形成されている。また、把持部４の先端には、外方向に向かって突出する鍔部７が把持部４と一体に形成されている。
【００１１】
封止具６は、円柱状弾性体であって、ソケット部３の基端に圧入できる程度の大きさに形成されており、封止具６をソケット部３に圧入後、ソケット部３の基端を把持部４に挿入して螺合することにより、ソケット部３と把持部４は連結され、スティック部２は、組み立てられる（図２参照）。
【００１２】
メガホン部５は、円筒状に形成され、その内部にソケット部３が収容できる程度の大きさに形成されている。また、メガホン部５は、基端内周面が、ソケット部３の段差３２を圧入可能な程度の大きさに形成されており、ソケット部３をメガホン部５内に収納すると、メガホン部５の基端内周面が段差３２と圧接され、スティック部２からメガホン部５が外れず、コンパクトな状態で応援用具１を持ち運ぶことができる。
【００１３】
次に、図４〜図８を用いて、応援用具１の使用方法を説明する。図４及び図５は、スポーツ観戦時の応援用具１の使用方法を示しており、装飾素材８として、応援用のイラストが印刷されたシート８１が使用される。このシート８１は、観戦する競技に対応したイラストが印刷されている。なお、チーム名や選手名等が印刷されていてもよい。そして、このシート８１を丸めてソケット部３内に挿入し、封止具６でソケット部３の基端を封止した後、把持部４とソケット部３を螺合することによりスティック部２を組み立てる。応援時には、図５に示すようにメガホン部５を左手に持ち、スティック部２の把持部４を右手に持って、メガホン部５とスティック部２のソケット部３を打ち鳴らすこととなる。他の競技で使用するときは、スティック部２を分解してソケット部３内にあるシート８１を取り外し、他の競技に対応したシート８１をソケット部３内に挿入しスティック部２を組み立てることとなる。
【００１４】
図６及び図７は、コンサートやライブ等のイベント時の応援用具１の使用方法を示しており、装飾素材８として、発光体８２が使用される。この発光体８２は、棒状のケミカルライトで構成されているが、複数のＬＥＤ素子を棒状に配列したものを使用してもよい。続いて、発光体８２を折り曲げて発光させた後、ソケット部３内に挿入し、封止具６でソケット部３の基端を封止して、把持部４とソケット部３を螺合することによりスティック部２を組み立てる。応援時には、図７に示すように、右手でスティック部２の把持部４を持って振り回すことにより、応援することとなる。
【００１５】
なお、スポーツ観戦時やイベント時には、図８に示すように、左手に持ったメガホン５を使用して声援を送ることもできる。
【００１６】
本実施形態に係る応援用具１は、透明筒状のソケット部３に装飾素材８を収容するので、様々な競技やイベントに対応した装飾素材８をソケット部３外部から見ることができる。よって、競技やイベント毎に応援用具を購入する必要はなく、装飾素材を取り換えることのみで汎用性が有る。また、装飾素材８は、ソケット部３の内部にあるので、スティック部２を繰り返し打ち鳴らし応援で使用しても、装飾素材８に描かれたイラストが擦り切れることがない。この装飾素材８は、応援用具１の購入者自身で作成することができるので、オリジナルの応援用具１を用いて応援することができる。
【００１７】
さらに、ソケット部３には外方向に向かって突出する段差３２が形成されているので、ソケット部３と把持部４を連結するとき、この段差３２がストッパとして働き、ソケット部３が把持部４内に深く潜り込むことを防止でき、ソケット部３の外部から見える範囲が減少することがない。
【００１８】
また、応援用具１は、封止具６を備えるので、封止具６でソケット部３の基端を封止することにより、装飾素材８が把持部４内に移動することがないとともに、ソケット部３の把持部４によって隠れる部分以外の部分に装飾素材８を収容することができる。即ち、ソケット部３の外部から視認できる範囲内に装飾素材８を配置することができる。なお、ソケット部３内には、装飾素材８に限られず、任意の物を収容することができ、携帯用の物入れとして有用である。
【００１９】
さらに、鍔部７が把持部４と一体化されているので、一体化されていない場合と比べて分解・組み立て工数が少なくなり、分解や組み立ての多い応援用具１では、装飾素材の変更の手間が省ける。
【００２０】
なお、ソケット部３，把持部４，メガホン部５は、円柱状に形成されているが、角柱状であったり、他の形状であってもよい。装飾素材８は、外部から見て応援する気分が盛り上がるようなものであれば、応援用のイラストが印刷されたシート８１や発光体８２以外のものであってもよい。
【符号の説明】
【００２１】
１    応援用具
２    スティック部
３    ソケット部
３１  ネジ部
３２  段差
４    把持部
４１  ネジ部
５    メガホン部
６    封止具
７    鍔部
８    装飾素材
８１  装飾シート
８２  発光体
【図１】
0003224702.tif 000003
【図２】
0003224702.tif 000004
【図３】
0003224702.tif 000005
【図４】
0003224702.tif 000006
【図５】
0003224702.tif 000007
【図６】
0003224702.tif 000008
【図７】
0003224702.tif 000009
【図８】
0003224702.tif 000010